(57)【要約】【課題】照明器具の薄型化を図る。【解決手段】回路基板２２１にＬＥＤ２２２が実装されたＬＥＤモジュール２２を、外方に突出した凹部２１２が形成されたシャーシ２１に設置する。凹部２１２に形成された取付孔２１３に、天井から垂下する吊りボルト１１が挿通された状態で、凹部２１２内で吊りボルト１１を保持してシャーシ２１を固定する。【選択図】図３
2013062061.tif 000002
【特許請求の範囲】
【請求項１】
回路基板にＬＥＤを実装したＬＥＤモジュールと、
前記ＬＥＤモジュールが設置されるとともに、外方に突出した凹部が形成されたシャーシと、
前記凹部に形成された取付孔に天井から垂下する吊りボルトを挿通した状態で、前記凹部内で前記吊りボルトを保持することにより前記シャーシを固定する固定手段と、を有することを特徴とする照明器具。
【発明の詳細な説明】
【技術分野】
【０００１】
この発明の実施形態は、例えば天井部に設置される照明器具に関する。
【背景技術】
【０００２】
従来、照明器具を天井構造物に取り付ける場合は、照明器具の器具本体に、長孔状の孔部を形成した被支持部を設け、天井から鉛直に支持された吊りボルトに器具本体をナットで取り付けるものが知られている。またこれとは別に、野縁材と称される天井構造物に取り付けるクリップを上記孔部に係止することで、野縁材に照明器具を取り付けたものが考えられている。
【先行技術文献】
【特許文献】
【０００３】
【特許文献１】特開２００２−１００２３４号公報
【発明の概要】
【発明が解決しようとする課題】
【０００４】
天井面からの吊りボルトに照明器具を取り付ける場合は、照明器具のシャーシ面よりも下方に向かって吊りボルトが突出してしまうことから、吊りボルトがＬＥＤモジュール等の光源に干渉してしまう恐れがあった。そのため、照明器具を薄型化するには難があった。
【０００５】
この実施形態は、薄型化が可能な照明器具を提供することにある。
【課題を解決するための手段】
【０００６】
この実施形態によれば、回路基板にＬＥＤを実装したＬＥＤモジュールと、前記ＬＥＤモジュールが設置されるとともに、外方に突出した凹部が形成されたシャーシと、前記凹部に形成された取付孔に天井から垂下する吊りボルトを挿通した状態で前記凹部内で前記吊りボルトを保持することにより前記シャーシを固定する固定手段と、を有することを特徴とする。
【発明の効果】
【０００７】
この発明の実施形態によれば、照明器具の薄型化を図ることができる。
【図面の簡単な説明】
【０００８】
【図１】照明器具に関する第１の実施形態について説明するための一部切欠して示す斜視図である。
【図２】図１の正面図である。
【図３】図２のＩａ−Ｉｂ線断面図である。
【図４】図３の一部を拡大して示す断面図である。
【図５】図２のIIａ−IIｂ線側断面図である。
【図６】照明器具に関する第２の実施形態について説明するための図３相当の断面図である。
【図７】図６の一部を拡大して示す断面図である。
【図８】図６の側断面図である。
【発明を実施するための形態】
【０００９】
以下、実施形態について、図面を参照しながら詳細に説明する。
【００１０】
（第１の実施形態）
図１〜図５は、照明器具に関する第１の実施形態について説明するためのものであり、図１は一部を切欠して示す斜視図、図２は正面図、図３は図２のＩａ−Ｉｂ線断面図、図４は図３の一部を拡大して示す断面図、図５は図２のIIａ−IIｂ線側断面図である。
【００１１】
図１において、１１は、例えばオフィスビルの天井スラブなどの天井構造物に一端が埋設固定され鉛直に垂下する複数の吊りボルトである。各吊りボルト１１には、ナット１２などを用いて野縁材吊り金具であるハンガー１３が取り付けられ、さらに、このハンガー１３により、支持部材である野縁材１４が複数支持されている。なお、各野縁材１４は、断面略コの字状をなし、互いに平行に複数設置されている。
【００１２】
さらに、野縁材1４と交差する方向、例えば直交する方向には、シングル野縁受け材１５がシングルクリップ１６により、ダブル野縁受け材１７がダブルクリップ１８によりそれぞれ取り付けられている。シングル野縁受け材１５およびダブル野縁受け材１７には天井板１９が取り付けられる。
【００１３】
照明器具２０は、金型で成形された例えば金属製で天井板１９に埋め込まれる長方形型の箱状のシャーシ２１と、このシャーシ２１に取り付けられる図示しない電源ユニット、シャーシ２１の開放部に配置されるＬＥＤ（発光ダイオード）モジュール２２、このＬＥＤモジュール２２の発光面を覆う拡散透光性のカバー２３から構成される。カバー２３は、拡散性を持たせるために、例えばアクリル樹脂の成形体の表面にフロスト加工が施されたものが使用される。
【００１４】
シャーシ２１の底部２１１の例えば長手方向の２ヵ所には、図３および図４に示すように、上方に突出する有底円筒状の凹部２１２を形成するとともに、吊りボルト１１を挿通させることのできる大きさの取付孔２１３を形成する。シャーシ２１の各開放端には、外側に一体的に延ばした縁部２１４が四方に形成される。これらはシャーシ２１成形時のプレス加工等により任意の形状に仕上げられる。また、シャーシ２１の開口２１５には金属製の基板２４が載置される。
【００１５】
ＬＥＤモジュール２２は、放熱性および絶縁性を備えた回路基板２２１上に、複数のＬＥＤ２２２が実装されたものである。この実施形態でのＬＥＤモジュール２２は、長手方向に沿って並設され、ＬＥＤ２２が取着された側の回路基板２２１の面とは反対面を、基板２４に固定している。ＬＥＤ２２の発熱が回路基板２２１および基板２４を介して効果的に放熱される。
【００１６】
各ＬＥＤ２２は、図示しない配線パターンなどを介して電気的に直列に接続されている。ＬＥＤ２２は、所要の発光色（色温度）のものを選択することができ、例えば、昼白色や電球色に相当する発光色を選択することができる。
【００１７】
照明器具２０は、縁部２１４で規定された表面積よりも小さな開口として天井板１９に形成された取付口１９１にシャーシ２１を収容し、縁部２１４を天井板１９に当接させる。取付孔２１３に吊りボルト１１を通し、凹部２１２内に突出した吊りボルト１１に対してナット２１６をねじ込むことにより、照明器具２０を天井板１９に固定することができる。吊りボルト１１が凹部２１２内に突出する許容の長さは、凹部２１２の深さを任意に設計により決めることができるが、好ましくは５０ｍｍ程度とする。
【００１８】
また、シャーシ２１内には、商用電源に接続された点灯回路を含む図示しない電源ユニットが設置され、この電源ユニットからＬＥＤ２２に直流電圧を供給し、ＬＥＤ２２を点灯するようになっている。
【００１９】
このように、天井構造物から垂下する吊りボルト１１が天井板１９から突出しないように保ちつつ、シャーシ２１の凹部２１２内の取付孔２１３に挿通させる。そして、凹部２１２内の吊りボルト１１にナット２１６をねじ込み保持することで、天井板１９に埋め込んだ状態で照明器具２０を固定することができる。
【００２０】
この発明の実施形態によれば、シャーシから突出した凹部内で吊りボルトを保持するようにしたことから、照明器具の薄型化が可能となる。
【００２１】
（第２の実施形態）
図６〜図８は、照明器具に関する第２の実施形態について説明するためのものであり、図６は断面図、図７は図６の一部を切欠して示す斜視図、図８は図６の側断面図である。上記した実施形態と同一の構成部分には同一の符号を付して説明する。
【００２２】
この実施形態は、天井板１９に開ける取付口１９２の大きさを、凹部２１２が収容できる程度に小さくしたものである。すなわち、取付口１９２の直径は、白熱電球を用いたダウンライトを取り付ける場合の穴の大きさかそれ以下にすることができる。
【００２３】
照明器具２０を天井板１９に取り付ける場合は、シャーシ２１の上部に突出した凹部２１２を複数の取付口１９２それぞれに収容するとともに、凹部２１２内の取付孔２１３に吊りボルト１１を挿通させる。そして、凹部２１２内で吊りボルト１１にナット２１６をネジ止め保持することにより照明器具２０が固定される。
【００２４】
この発明の実施形態によれば、シャーシから突出した凹部のみを天井板の裏側まで突出させ、凹部内で吊りボルトを保持するようにしたことから、照明器具の薄型化が可能となる。
【００２５】
また、天井板に開ける取付口の大きさも小さくて済むことから、取り付け作業が容易になる。さらに、照明器具を吊りボルトに直接取り付けていることから、野縁や野縁受けなどの天井構造物を切断することなく取り付けることが可能となる。
【００２６】
なお、上記の説明では、光源としてＬＥＤを用いた照明器具について説明したが、蛍光灯などの他の光源を用いた場合でも同様の効果が期待できる。
【００２７】
いくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、組み合わせ、変更を行うことができる。これら実施形態やその変形は、発明の範囲や要旨に含まれるとともに、特許請求の範囲に記載された発明とその均等の範囲に含まれる。
【符号の説明】
【００２８】
１１  吊りボルト
１９  天井板
１９１，１９２  取付口
２０  照明器具
２１  シャーシ
２１１  底部
２１２  凹部
２１３  取付孔
２１４  縁部
２１５  開口
２１６  ナット
２２  ＬＥＤモジュール
２２１  回路基板
２２２  ＬＥＤ
２３  カバー
２４  基板
【図１】
2013062061.tif 000003
【図２】
2013062061.tif 000004
【図３】
2013062061.tif 000005
【図４】
2013062061.tif 000006
【図５】
2013062061.tif 000007
【図６】
2013062061.tif 000008
【図７】
2013062061.tif 000009
【図８】
2013062061.tif 000010